(57)【要約】【課題】樹脂製継手分割体の熱伸縮による外れ（割れ）を防止し、引っ張り強度のさらなる向上を図ることができる軒樋曲り継手を提供する。【解決手段】本願発明の軒樋曲り継手１は、前耳部５及び後耳部７を有し一端２ａは平面視直角に他端２ｂは平面視４５度に形成された一対の樹脂製継手分割体２、２の他端２ｂ側面を突き合わせて接合されてなり、軒先の角部分において軒樋本体同士を接続するものであって、断面が略Ｌ字状の接続補強部材１０、１１を一対の樹脂製継手分割体２、２のそれぞれの前耳部５及び後耳部７に嵌着させた状態で一対の樹脂製継手分割体２、２が接合されてなることを特徴とする。【選択図】図１
2007315096.tif 000002
【特許請求の範囲】
【請求項１】
前耳部及び後耳部を有し一端は平面視直角に他端は平面視４５度に形成された一対の樹脂製継手分割体の他端側面を突き合わせて接合されてなる、軒先の角部分において軒樋本体同士を接続する軒樋曲り継手であって、
断面が略Ｌ字状の接続補強部材を一対の樹脂製継手分割体のそれぞれの前耳部及び後耳部に嵌着させた状態で一対の樹脂製継手分割体が接合されてなることを特徴とする軒樋曲り継手。
【請求項２】
接続補強部材が、その両端に弾性を有する折り返し部を備えることを特徴とする請求項１に記載の軒樋曲り継手。
【請求項３】
前耳部及び後耳部を有し一端は平面視直角に他端は平面視４５度に形成された一対の樹脂製継手分割体の他端側面を突き合わせて接合されてなる、軒先の角部分において軒樋本体同士を接続する軒樋曲り継手の製造方法であって、
断面が略Ｌ字状の接続補強部材を一対の樹脂製継手分割体のそれぞれの前耳部及び後耳部に嵌着させた状態で一対の樹脂製継手分割体をインサート成形により接合することを特徴とする軒樋曲り継手の製造方法。
【請求項４】
接続補強部材として、その両端に弾性を有する折り返し部を備えるものを用いることを特徴とする請求項３に記載の軒樋曲り継手の製造方法。
【発明の詳細な説明】
【技術分野】
【０００１】
本願発明は、軒先の角部分において軒樋本体同士を接続する軒樋曲り継手及びその製造方法に関するものである。
【背景技術】
【０００２】
従来より、軒先の角部分において軒樋本体同士を接続するために軒樋曲り継手が使用されている。例えば、本出願人の出願に係る特許文献１には、既成の樹脂製軒樋を一端は平面視直角に、他端は平面視４５度にそれぞれ切断し形成された２つの樹脂製継手分割体の他端側切断面相互を突き合わせてなる軒樋曲り継手において、２つの樹脂製継手分割体の内面側において、それぞれの底板、同底板の前後にそれぞれ立ち上がる前板及び後板に沿って樹脂製の接合体を介在させた構造のものが提案されている。この軒樋曲り継手はアウトサート成形により接合が行われる。
【特許文献１】特開２００６−６３５２０号公報
【発明の開示】
【発明が解決しようとする課題】
【０００３】
しかしながら、樹脂の成形により樹脂製継手分割体の接合を行う軒樋曲り継手においては、熱伸縮による樹脂製継手分割体の外れ（割れ）や引っ張り強度に関してはさらに改善の余地があった。
【０００４】
そこで、本願発明は、以上の通りの背景からなされたものであり、樹脂製継手分割体の熱伸縮による外れ（割れ）を防止し、引っ張り強度のさらなる向上を図ることができる軒樋曲り継手及びその製造方法を提供することを課題とする。
【課題を解決するための手段】
【０００５】
本願発明の軒樋曲り継手は、上記課題を解決するため、第１には、前耳部及び後耳部を有し一端は平面視直角に他端は平面視４５度に形成された一対の樹脂製継手分割体の他端側面を突き合わせて接合されてなる、軒先の角部分において軒樋本体同士を接続する軒樋曲り継手であって、断面が略Ｌ字状の接続補強部材を一対の樹脂製継手分割体のそれぞれの前耳部及び後耳部に嵌着させた状態で一対の樹脂製継手分割体が接合されてなることを特徴とする。
【０００６】
また、第２には、上記第１の発明において、接続補強部材が、その両端に弾性を有する折り返し部を備えることを特徴とする。
【０００７】
また、第３には、前耳部及び後耳部を有し一端は平面視直角に他端は平面視４５度に形成された一対の樹脂製継手分割体の他端側面を突き合わせて接合されてなる、軒先の角部分において軒樋本体同士を接続する軒樋曲り継手の製造方法であって、断面が略Ｌ字状の接続補強部材を一対の樹脂製継手分割体のそれぞれの前耳部及び後耳部に嵌着させた状態で一対の樹脂製継手分割体をインサート成形により接合することを特徴とする。
【０００８】
さらに、第４には、上記第３の発明において、接続補強部材として、その両端に弾性を有する折り返し部を備えるものを用いることを特徴とする。
【発明の効果】
【０００９】
本願請求項１及び請求項３の発明によれば、断面が略Ｌ字状の接続補強部材を一対の樹脂製継手分割体のそれぞれの前耳部及び後耳部に嵌着させた状態で一対の樹脂製継手分割体が接合されるようにしたので、樹脂製継手分割体の熱伸縮による外れ（割れ）を防止し、引っ張り強度のさらなる向上を図ることが可能となる。
【００１０】
本願請求項２及び請求項４の発明によれば、接続補強部材として、その両端に弾性を有する折り返し部を備え、弾性を有するものを用いたので、その折り返し部の弾性により前耳部及び後耳部の内面と圧接する部分全体を接着剤などにより前耳部及び後耳部に容易に接着できるため接合強度をよりアップすることができる。
【発明を実施するための最良の形態】
【００１１】
本願発明は上記のとおりの特徴を持つものであるが、以下にその実施の形態について説明する。
【００１２】
図１は、本願発明の一実施形態に係る軒樋曲り継手を説明するための平面図であり、（ａ）は一対の樹脂製継手分割体を突き合わせる様子を示し、（ｂ）は接続補強部材を介在させて接合する前の様子を示し、（ｃ）は接合後の様子を示している。図２は、樹脂製継手分割体の断面図である。図３は、前耳部用の接続補強部材の構造を示す図であり、（ａ）は側面図、（ｂ）は（ａ）のＡ−Ａ線断面図、（ｃ）は（ａ）のＢ−Ｂ線断面図、（ｄ）は全体斜視図である。図４は、後耳部用の接続補強部材の構造を示す図であり、（ａ）は側面図、（ｂ）は（ａ）の他端１１ｄの部分を上から見た図、（ｃ）は全体斜視図である。
【００１３】
本実施形態の軒樋曲り継手１は、家屋などの軒先の角部分において軒樋本体同士を接続するために使用されるものである。この軒樋曲り継手１は、一対の樹脂製継手分割体２、２を用いて接合形成される。樹脂製継手分割体２、２は図２に示すように、底面３の前方端より前板４が立ち上がり、その上方には前耳部５が形成されるとともに、底面３の後方端より後板６が立ち上がり、その上方には後耳部７が形成されている。また、底面３の前方には補強のための段部８が形成されている。一方、前板４の前面側には横方向に延びる凹凸部９が一定間隔で上下にわたって形成されている。樹脂製継手分割体２、２は、図１（ａ）に示すように、一端２ａは平面視直角に他端２ｂは平面視４５度に形成されており、最初からこのような形状のものを用意しておいてもよいし、既存の軒樋継手を切断したものを使用してもよい。樹脂製継手分割体２、２の材料としては塩化ビニル樹脂、ＡＢＳ樹脂など従来より軒樋に使用されている各種の樹脂を用いることができる。
【００１４】
接合に際して樹脂製継手分割体２、２の他端２ｂ同士がそれぞれ突き合わされ、前耳部５同士には前耳部用の接続補強部材１０が嵌着され、後耳部７同士にも後耳部用の接続補強部材１１が嵌着される。前耳部用の接続補強部材１０は、図３に示すように、本体１０ａが平面視略Ｌ字状をなし、その一端１０ｂからは折り返し部１０ｃが弾性を有するように設けられており、他端１０ｄからも折り返し部１０ｅが弾性を有するように設けられている。これら折り返し部１０ｃ、１０ｅはバネとして作用するようになっている。後耳部用の接続補強部材１１も、図４に示すように、本体１１ａが平面視略Ｌ字状をなし、その一端１１ｂからは折り返し部１１ｃが弾性を有するように設けられており、他端１１ｄからも折り返し部１１ｅが弾性を有するように設けられている。これら折り返し部１１ｃ、１１ｅもバネとして作用するようになっている。前耳部用の接続補強部材１０と後耳部用の接続補強部材１１は、前耳部５と後耳部７の断面形状を考慮してそれに適した大きさ、形状のものとすることができる。前耳部用の接続補強部材１０と後耳部用の接続補強部材１１は、軒樋曲り継手１が十分な引っ張り強度を備えその補強効果が十分となるようにステンレス鋼などの金属合金より形成されることが好ましいが、強度にすぐれた樹脂などの使用も考慮される。
【００１５】
本実施形態の軒樋曲り継手１は、上記のように、一対の樹脂製継手分割体２、２の他端２ｂ同士を突き合わせて、前耳部用の接続補強部材１０と後耳部用の接続補強部材１１をそれぞれ前耳部５同士と後耳部７同士に嵌着させた状態で、樹脂を流し込みインサート成形して接合されるが、その際、前耳部５と後耳部７に接着剤を塗布しておくことが好ましい。このようにすると、前耳部用の接続補強部材１０の折り返し部１０ｃ、１０ｅと、後耳部用の接続補強部材１１の折り返し部１１ｃ、１１ｅがそれぞれ弾性を有しており、バネの役割をし、そのバネ以外の部分を前耳部５と後耳部７の接着剤を塗布した面に圧接し、前耳部用の接続補強部材１０と後耳部用の接続補強部材１１が前耳部５と後耳部７と圧接する面全体に接着剤が塗布されることになり、良好で確実な接着が行われ、接続強度の向上を図ることができる。
【００１６】
上記実施形態の軒樋曲り継手１によれば、一対の樹脂製継手分割体２、２の前耳部５と後耳部７を利用して、前耳部用の接続補強部材１０と後耳部用の接続補強部材１１をこれらに嵌着させて樹脂を流し込んでインサート成形するため、極めて簡易な手法により、軒樋曲り継手１の熱伸縮による外れ（割れ）が効果的に防止できるとともに、インサート成形の接続強度が高まり、軒樋曲り継手１全体の引っ張り強度をより一層向上させることが可能になる。
【００１７】
以上、本願発明を一実施形態に基づいて説明してきたが、本願発明によれば、種々の変形、変更が可能なことはいうまでもない。
【００１８】
例えば、上記実施形態では、一対の樹脂製継手分割体２、２として、断面が略Ｕ字状のものを用いたが、丸樋や断面が楕円の一部をなす樋、あるいは断面がコの字状の角樋などの各種のものを用いることができる。
【００１９】
また、前耳部用の接続補強部材１０と後耳部用の接続補強部材１１の形状もバネ性を含んだ機構として種々の形状のものを用いることができる。
【図面の簡単な説明】
【００２０】
【図１】本願発明の一実施形態に係る軒樋曲り継手を説明するための平面図であり、（ａ）は一対の樹脂製継手分割体を突き合わせる様子を示し、（ｂ）は接続補強部材を介在させて接合する前の様子を示し、（ｃ）は接合後の様子を示している。
【図２】樹脂製継手分割体の断面図である。
【図３】前耳部用の接続補強部材の構造を示す図であり、（ａ）は側面図、（ｂ）は（ａ）のＡ−Ａ線断面図、（ｃ）は（ａ）のＢ−Ｂ線断面図、（ｄ）は全体斜視図である。
【図４】後耳部用の接続補強部材の構造を示す図であり、（ａ）は側面図、（ｂ）は（ａ）の他端１１ｄの部分を上から見た図、（ｃ）は全体斜視図である。
【符号の説明】
【００２１】
１    軒樋曲り継手
２、２    樹脂製継手分割体
２ａ    一端
２ｂ    他端
３    底面
４    前板
５    前耳部
６    後板
７    後耳部
１０    前耳部用の接続補強部材
１０ａ    本体
１０ｃ、１０ｅ    折り返し部
１１    後耳部用の接続補強部材
１１ａ    本体
１１ｃ、１１ｅ    折り返し部
【図１】
2007315096.tif 000003
【図２】
2007315096.tif 000004
【図３】
2007315096.tif 000005
【図４】
2007315096.tif 000006